(57)【要約】      （修正有）【課題】機械組立て時に難しい調整をしなくても機械側・カバー側の互いの製作誤差を吸収でき、メンテナンスを軽減しても壊れにくい分離式テレスコピックカバーを提供する。【解決手段】マシニング等による駆動部への切粉、切削液の飛散を防御する目的の、互いにはめ込まれた複数のカバーを重ね合わせて成るテレスコピックカバーに於いて、機械移動・固定体６に固定された取付板８にワイパー４を取付けた分離アタッチメント１０を、最上段カバー９に固定したストッパー５に引っ掛ける。機械移動・固定体の取付面と摺動用レール７との傾き誤差や、テレスコピックカバーの製作精度に影響されること無く、ゴム又は樹脂、あるいは金属やそれらを合わせてなるワイパー２とカバー１−２の間にスキマが空くことなくストローク方向に伸縮できる。【選択図】図５
0003223311.tif 000002
【実用新案登録請求の範囲】
【請求項１】
産業機械摺動面保護カバーでマシニング等による駆動部への切粉、切削液の飛散を防御する目的の、互いにはめ込まれた複数のカバーボックスを重ね合わせて成るテレスコピックカバーに於いて、機械移動・固定体6にボルト等で固定した取付板8にゴム又は樹脂、あるいは金属やそれらを合わせてなるワイパー4を取付けた分離アタッチメント10を、最上段カバー9にネジ又はリベット、あるいは溶接にて固定した金属又は非鉄からなるストッパー5を取付けた物に引っ掛けることで、機械移動・固定体6の取付面と摺動用レール7との傾きなどの誤差や、テレスコピックカバーの製作精度に影響されること無く、ゴム又は樹脂、あるいは金属やそれらを合わせてなるワイパー2とカバー1-2の間にスキマが空くことなくストローク方向に伸縮させることを特徴とした分離式テレスコピックカバー
【考案の詳細な説明】
【技術分野】
【０００１】
本考案は、主として工作機械の保護カバー、その他一般産業機械の保護カバーとして活用するものに関する。
【背景技術】
【０００２】
従来から、図2のテレスコピックカバーの断面図に示す如く、取付板3とカバー1-1はそれぞれを溶接した一体構造のものが一般的に用いられている。その場合、図3のように機械移動・固定体6の取付面と摺動用レール7との傾きなどの誤差、及び取付板3の製作精度の影響によりワイパー2とカバー1-2との間にスキマが発生する場合があった。又、図4のようにワイパー2-1,ワイパー2-2が使用による経年変化、磨耗によって、ワイパー2とカバー1-2との間にスキマが発生することもあり、その事でカバー内部に切粉・切削液が侵入し早期破損するといった問題があった。
【考案の概要】
【考案が解決しようとする課題】
【０００３】
近年の著しい工作機械の組立作業の効率化とメンテナンスの軽減化に伴い、工作機械の保護カバーとして使用されるテレスコピックカバーにおいても取付けの効率化、メンテナンスの軽減化が必要とされている。その為、機械組立て時には難しい調整をしなくても機械側・カバー側の互いの製作誤差を吸収できる機構、及びメンテナンスを軽減しても壊れにくいカバーを開発する必要があった。
【課題を解決するための手段】
【０００４】
本考案はかかる問題を解決するため鋭意研究し得られたもので、分離式テレスコピックカバーに関するものであり、機械移動・固定体6にボルト等で固定した取付板8にワイパー4を取付けた分離アタッチメント10を、最上段カバー9にストッパー5を取付けた物に引っ掛けることで、機械移動・固定体6の取付面と摺動用レール7との傾きなどの誤差やテレスコピックカバーの製作精度に影響されること無く、ワイパー2とカバー1-2の間にスキマが空くことなくストローク方向に伸縮させることで問題を解決している。
【考案の効果】
【０００５】
従来のテレスコピックカバーでは取付板3とカバー1-1はそれぞれを溶接した一体構造であるため、取付板3とワイパー2との間が長ければ長いほど製品及び機械側の製作誤差やワイパー2-1,ワイパー2-2の経年変化、磨耗などの影響が大きく、ワイパー2とカバー1-2との間にスキマが空いていた。一方、本考案の分離式テレスコピックカバー図5に於いては、取付板8にワイパー4を取付けた分離アタッチメント10を、最上段カバー9にストッパー5を取付けた物に引っ掛けることで機械移動・固定体6の取付面と摺動用レール7との傾きなどの誤差やテレスコピックカバーの製作精度に影響されること無く、機械の動きに追従するテレスコピックカバーとして機能した。その為、カバーや機械側に細やかな取付け寸法公差を求めることなく取付けを行うことができる。その上、経年変化、磨耗でワイパー2-1,ワイパー2-2が変化しても、その変化に合わせて最上段カバー9が追従することでワイパー2とカバー1-2との間にスキマが発生せず、メンテナンス軽減化の効果を得ることが可能となった。
【図面の簡単な説明】
【０００６】
【図１】テレスコピックカバーの全体斜視図
【図２】従来品のテレスコピックカバーの断面図1
【図３】従来品のテレスコピックカバーの断面図2
【図４】従来品のテレスコピックカバーの断面図3
【図５】請求項1に記載の分離式テレスコピックカバーの構造に関する断面図
【実施例】
【０００７】
請求項1に記載の一般的なテレスコピックカバーの全体斜視図を図1に示す。図５に分離式テレスコピックカバーに関する断面図を示す。
【０００８】
図５の断面図は請求項1に関するものであり、機械移動・固定体6にボルト等で固定した取付板8にゴム又は樹脂、あるいは金属やそれらを合わせてなるワイパー4を取付けた分離アタッチメント10を、最上段カバー9にネジ又はリベット、あるいは溶接にて固定した金属又は非鉄からなるストッパー5を取付けた物に引っ掛けることで分離式テレスコピックカバーは構成される。
【０００９】
取付板8と最上段カバー9を分離したことによりワイパー2が自重方向に下がることが可能になった。そのことで機械移動・固定体6やワイパー2-1,ワイパー2-2の状況に影響されること無く、ワイパー2とカバー1-2は密着状態を維持し伸縮が行えるテレスコピックカバーとして機能する。
【符号の説明】
【００１０】
1      テレスコピックカバー
1-1  カバー
1-2  カバー
2       ワイパー
2-1  ワイパー
2-2  ワイパー
3  取付板
4  ワイパー
5  ストッパー
6  機械移動・固定体
7  レール
8  取付板
9  最上段カバー
10 分離アタッチメント
【図１】
0003223311.tif 000003
【図２】
0003223311.tif 000004
【図３】
0003223311.tif 000005
【図４】
0003223311.tif 000006
【図５】
0003223311.tif 000007
【手続補正書】
【提出日】令和1年8月1日(2019.8.1)
【手続補正１】
【補正対象書類名】実用新案登録請求の範囲
【補正対象項目名】全文
【補正方法】変更
【補正の内容】
【実用新案登録請求の範囲】
【請求項１】
産業機械摺動面保護カバーでマシニング等による駆動部への切粉、切削液の飛散を防御する目的の、互いにはめ込まれた複数のカバーを重ね合わせて成るテレスコピックカバー1に於いて、機械移動・固定体6にボルト等で固定した取付板8にゴム又は樹脂、あるいは金属やそれらを合わせてなるワイパー4を取付けて構成される分離アタッチメント10を、最上段カバー9にネジ又はリベット、あるいは溶接にて固定した金属又は非鉄からなるストッパー5に引っ掛けることで、機械移動・固定体6の取付面と摺動用レール7との傾きなどの誤差や、テレスコピックカバー1の製作精度に影響されること無く、ゴム又は樹脂、あるいは金属やそれらを合わせてなるワイパー2とカバー1-2の間にスキマが空くことなくストローク方向に伸縮させることを特徴とした分離式テレスコピックカバー。
【手続補正２】
【補正対象書類名】明細書
【補正対象項目名】全文
【補正方法】変更
【補正の内容】
【考案の詳細な説明】
【技術分野】
【０００１】  本考案は、主として工作機械の保護カバー、その他一般産業機械の保護カバーとして活用するものに関する。
【背景技術】
【０００２】従来から、図2のテレスコピックカバーの断面図に示す如く、取付板3とカバー1-1はそれぞれを溶接した一体構造のものが一般的に用いられている。その場合、図3のように機械移動・固定体6の取付面と摺動用レール7との傾きなどの誤差、及び取付板3の製作精度の影響によりワイパー2とカバー1-2との間にスキマが発生する場合があった。又、図4のようにワイパー2-1,ワイパー2-2が使用による経年変化、磨耗によって、ワイパー2とカバー1-2との間にスキマが発生することもあり、その事でカバー内部に切粉・切削液が侵入し早期破損するといった問題があった。
【考案の概要】
【考案が解決しようとする課題】
【０００３】近年の著しい工作機械の組立作業の効率化とメンテナンスの軽減化に伴い、工作機械の保護カバーとして使用されるテレスコピックカバーにおいても取付けの効率化、メンテナンスの軽減化が必要とされている。その為、機械組立て時には難しい調整をしなくても機械側・カバー側の互いの製作誤差を吸収できる機構、及びメンテナンスを軽減しても壊れにくいカバーを開発する必要があった。
【課題を解決するための手段】
【０００４】  本考案はかかる問題を解決するため鋭意研究し得られたもので、分離式テレスコピックカバーに関するものであり、機械移動・固定体6にボルト等で固定した取付板8にワイパー4を取付けて構成される分離アタッチメント10を、最上段カバー9に固定したストッパー5に引っ掛けることで、機械移動・固定体6の取付面と摺動用レール7との傾きなどの誤差やテレスコピックカバーの製作精度に影響されること無く、ワイパー2とカバー1-2の間にスキマが空くことなくストローク方向に伸縮させることで問題を解決している。
【考案の効果】
【０００５】従来のテレスコピックカバーでは取付板3とカバー1-1はそれぞれを溶接した一体構造であるため、取付板3とワイパー2との間が長ければ長いほど製品及び機械側の製作誤差やワイパー2-1,ワイパー2-2の経年変化、磨耗などの影響が大きく、ワイパー2とカバー1-2との間にスキマが空いていた。一方、本考案の分離式テレスコピックカバー図5に於いては、取付板8にワイパー4を取付けて構成される分離アタッチメント10を、最上段カバー9に固定したストッパー5に引っ掛けることで機械移動・固定体6の取付面と摺動用レール7との傾きなどの誤差やテレスコピックカバーの製作精度に影響されること無く、機械の動きに追従するテレスコピックカバーとして機能した。その為、カバーや機械側に細やかな取付け寸法公差を求めることなく取付けを行うことができる。その上、経年変化、磨耗でワイパー2-1,ワイパー2-2が変化しても、その変化に合わせて最上段カバー9が追従することでワイパー2とカバー1-2との間にスキマが発生せず、メンテナンス軽減化の効果を得ることが可能となった。
【図面の簡単な説明】
【０００６】
【図１】テレスコピックカバーの全体斜視図
【図２】従来品のテレスコピックカバーの断面図1
【図３】従来品のテレスコピックカバーの断面図2
【図４】従来品のテレスコピックカバーの断面図3
【図５】請求項1に記載の分離式テレスコピックカバーの構造に関する断面図
【実施例】
【０００７】請求項1に記載の一般的なテレスコピックカバーの全体斜視図を図1に示す。図５に分離式テレスコピックカバーに関する断面図を示す。【０００８】図５の断面図は請求項1に関するものであり、機械移動・固定体6にボルト等で固定した取付板8にゴム又は樹脂、あるいは金属やそれらを合わせてなるワイパー4を取付けて構成される分離アタッチメント10を、最上段カバー9にネジ又はリベット、あるいは溶接にて固定した金属又は非鉄からなるストッパー5に引っ掛けることで分離式テレスコピックカバーは構成される。【０００９】取付板8と最上段カバー9を分離したことによりワイパー2が自重方向に下がることが可能になった。そのことで機械移動・固定体6やワイパー2-1,ワイパー2-2の状況に影響されること無く、ワイパー2とカバー1-2は密着状態を維持し伸縮が行えるテレスコピックカバーとして機能する。
【符号の説明】
【００１０】1      テレスコピックカバー1-1  カバー1-2  カバー2       ワイパー2-1  ワイパー2-2  ワイパー3  取付板4  ワイパー5  ストッパー6  機械移動・固定体7  摺動用レール8  取付板9  最上段カバー10 分離アタッチメント
【手続補正４】
【補正対象書類名】図面
【補正対象項目名】全図
【補正方法】変更
【補正の内容】
【図１】
0003223311.tif 000008
【図２】
0003223311.tif 000009
【図３】
0003223311.tif 000010
【図４】
0003223311.tif 000011
【図５】
0003223311.tif 000012